(57)【要約】チケット発行システムの操作方法は、チケット情報をあらわすデータを生成すること、モバイル（移動）局による受信のために、同データを、モバイル通信ネットワークリンクを越えて、伝達することを含む。前記モバイルステーションからのデータは、それから取り引きを検証するために使用される。【選択図】図１
2004501423.tif 000002
【特許請求の範囲】
【請求項１】
ユーザーのためのチケット発行システムの操作方法であって、前記方法は、
チケット情報をあらわすデータを、前記チケットデータがシステムのユーザーによって使用されることを可能にするために生成すること、
前記チケットデータを、前記データがモバイル通信ネットワークリンクを越えてモバイルステーションによって受信されるように伝達すること、
前記ユーザーからまたは前記モバイルステーションから前記チケットデータを受信すること、
前記ユーザーからまたは前記モバイルステーションから受信される前記チケットデータを前記ユーザーとの取り引きを検証するために使用すること、
を含む方法。
【請求項２】
前記チケットデータに対応する前記システムにおけるシステムデータを格納すること、続いて、前記チケットデータが前記ユーザーまたは前記モバイルステーションから受信されたときに前記システムデータにアクセスすること、を含む請求項１に記載の方法。
【請求項３】
前記方法は、前記データをテキストメッセージフォーマットでモバイルステーションへ送ることを含む請求項１または請求項２に記載の方法。
【請求項４】
前記テキストメッセージは、ＳＭＳメッセージである請求項３に記載の方法。
【請求項５】
光学的リーダーを用いて前記モバイルステーションのディスプレイから前記データを読み取ることによって前記チケットデータを受信することを含む請求項１〜４のいずれか１項に記載の方法。
【請求項６】
前記光学的リーダーは、バーコードリーダーまたはピンコードリーダーである請求項５に記載の方法。
【請求項７】
請求項１〜６のいずれか１項に記載の方法であって、前記方法は、
前記モバイル通信ネットワークを介してアクセス可能な記憶装置に、前記チケットを生成後に格納すること、
要求次第で前記モバイル通信ネットワークリンクを越えて前記チケットデータを伝達すること、
をさらに含む方法。
【請求項８】
前記チケットデータは、ブラウザー読み取り可能なフォーマットで伝達される請求項７に記載の方法。
【請求項９】
要求なしに前記モバイル通信ネットワークリンクを越えて前記チケットデータを伝達することを含む請求項１〜請求項６のいずれか１項に記載の方法。
【請求項１０】
前記チケット情報は、輸送サービスに関連する請求項１〜９のいずれか１項に記載の方法。
【請求項１１】
前記チケットデータは、輸送サービスに対するアクセスが提供されている場所において、前記ユーザーまたは前記モバイルステーションから受信される請求項１０に記載の方法。
【請求項１２】
請求項１〜１１のいずれか１項に記載の方法であって、前記方法は、
前記チケットデータを一つのプレゼンテーション（表象）フォーマットで伝達すること、
前記チケットデータを第２の異なるプレゼンテーションフォーマットで受信すること、
を含む方法。
【請求項１３】
ユーザーのためのチケット発行システムの操作方法であって、前記方法は、
チケット情報をあらわすデータを、前記チケットデータがシステムのユーザーによって使用されることを可能にするために生成すること、
前記チケットデータを、前記データが前記記憶装置からポータブル電子デバイスに書き込まれることを可能にするために、前記データがモバイル通信ネットワークリンクを越えて記憶装置によって受信されるように伝達すること、
前記ポータブル電子デバイスから前記チケットデータを受信すること、
前記ポータブル電子デバイスから受信される前記チケットデータを前記ユーザーとの取り引きを検証するために使用すること、
を含む方法。
【請求項１４】
前記ポータブル電子デバイスは、携帯情報端末（パーソナルディジタルアシスタント）またはモバイルステーションである請求項１３に記載の方法。
【請求項１５】
モバイルステーションをチケットとして使用する方法であって、前記方法は、
前記モバイルステーションにおいてモバイル通信ネットワークを越えて伝達される、チケット情報をあらわしているデータを受信すること、
前記モバイルステーションによって受信された前記データを、取り引きを検証するのに使用できるようにすること、
を有する方法。
【請求項１６】
前記取り引きは、輸送サービスの使用を含む請求項１５に記載の方法。
【請求項１７】
通信ネットワークを越えて送られたデータを受信するための装置であって、前記装置は、
機械読み取り可能となるように特別に適合されてはいない第１のプレゼンテーションフォーマットで前記データを受信するための手段、
前記データを、前記第１のプレゼンテーションフォーマットから、機械読み取り可能となるように特別に適合された第２のプレゼンテーションフォーマットに、変換するための手段、
前記第２のプレゼンテーションフォーマットで、データを表示するための手段、
を含む装置。
【請求項１８】
前記装置は、モバイルステーションである請求項１７に記載の装置。
【請求項１９】
前記変換手段は、前記第１のプレゼンテーションフォーマットから前記第２のプレゼンテーションフォーマットへデータフォームを変換するためのプログラムを収容しているリムーバブル（取り外し可能）なデータ記憶装置モジュールを含む請求項１７または請求項１８に記載の装置。
【請求項２０】
前記第２のプレゼンテーションフォーマットは、光学的コードフォーマットである請求項１７、請求項１８または請求項１９に記載の装置。
【請求項２１】
前記第１のプレゼンテーションフォーマットは、テキストメッセージフォーマットである請求項１７〜請求項２０のうちのいずれかに記載の装置。
【発明の詳細な説明】
【０００１】
本発明は、チケット発行システムの操作方法に関する。特に、排他的にではないが、本発明は、輸送サービスのためのチケット発行システムの操作方法に関する。
【０００２】
公共輸送提供者のチケット発行およびチェックイン手続きは、総じて、紙の文書によって行われている。航空路旅行の例を用いれば、旅客は、旅行代理店か航空会社かのいずれかを通して旅行を予約し且つそのために支払いをし、運賃の証明として紙のチケットおよび／または搭乗券の発行を受ける。チケット／搭乗券は、旅客および旅行を識別する情報を含んでいる。チケット／搭乗券上の情報は、前記旅客がフライトに搭乗することを許可される前に、飛行場において航空会社の従業員によって検証される。一般に、旅客の予約の詳細が格納されたデータベースに接続されているコンピューターを使用する航空会社の従業員は、チケット／搭乗券上の情報を手作業的に検証する。このプロセスにはいくつかの問題がある。例えば、手作業の検証は、緩慢にそしてそれゆえに旅客にとって不便になり得る。その上、このプロセスは、予めプリントされた紙のチケットに依存しており、そしてそれは取り扱うのが単調で退屈であり、そして紛失しがちである。
【０００３】
空港におけるチェックイン手続きを自動化するためにいくらかの努力がなされてきている。例えば、いくつかの航空会社は、今、磁気スワイプストリップ上に格納されたチケット情報を有するチケットまたは搭乗券を発行している。この情報は、空港の予備搭乗において前記ストリップ上の情報を自動的に読み取るスワイプリーダーを通してこのカードをスワイプすることによって検証される。スワイプストリップおよびスワイプリーダーの使用は、チェックインプロセスをスピードアップするが、それは、不利益がないわけではない。特に、スワイプカードリーダーおよび必要なスワイプストライプを有するチケット／搭乗券をプリントするために必要とされるプリンターも、据え付けるために費用がかかり且つ使用は煩雑である。
【０００４】
本発明は、これらの問題を緩和させることを狙っている。
【０００５】
本発明によれば、ユーザーのためのチケット発行システムの操作方法が提供され、前記方法は、チケット情報をあらわすデータを、前記チケットデータがシステムのユーザーによって使用されることを可能にするために生成すること、前記チケットデータを、前記データがモバイル通信ネットワークリンクを越えてモバイルステーションによって受信されるように伝達すること、前記ユーザーからまたは前記モバイルステーションから前記チケットデータを受信すること、前記ユーザーからまたは前記モバイルステーションから受信される前記チケットデータを前記ユーザーとの取り引きを検証するために使用することを含む。
【０００６】
本発明によれば、また、ユーザーのためのチケット発行システムの操作方法が提供され、前記方法は、チケット情報をあらわすデータを、前記チケットデータがシステムのユーザーによって使用されることを可能にするために生成すること、前記チケットデータを、前記データがポータブル電子デバイスに書き込まれることを可能にするために、前記データがモバイル通信ネットワークリンクを越えてコンピューターによって受信されるように伝達すること、前記ポータブル電子デバイスから前記チケットデータを受信すること、前記ポータブル電子デバイスから受信される前記チケットデータを前記ユーザーとの取り引きを検証するために使用することを含む。
【０００７】
本発明によれば、モバイルステーションをチケットとして使用する方法も提供され、前記方法は、前記モバイルステーションにおいてモバイル通信ネットワークを越えて伝達される、チケット情報をあらわしているデータを受信すること、前記モバイルステーションによって受信された前記データを、取り引きを検証するのに使用できるようにすることを含む。
【０００８】
本発明によれば、通信ネットワークを越えて送られたデータを受信するための装置も提供され、前記装置は、機械読み取り可能となるように特別に適合されてはいない第１のプレゼンテーションフォーマットで前記データを受信するための手段、前記データを、前記第１のプレゼンテーションフォーマットから、機械読み取り可能となるように特別に適合された第２のプレゼンテーションフォーマットに、変換するための手段、前記第２のプレゼンテーションフォーマットで、データを表示するための手段を含む。
【０００９】
本発明の上述したおよびさらなる特徴は、添付された特許請求の範囲に詳細に述べられており、そしてその利点と共に、添付図面を参照して与えられる本発明の例示的実施形態の以下の詳細な説明の考慮によって、より明確になるであろう。
【００１０】
図１は、本発明を実施するシステムの概略的な図である。説明だけの目的のために、本実施形態は、航空チケット発行システムを参照して説明されている。
【００１１】
フライト予約センター１は、航空会社コンピューターシステム２に接続され且つメッセージジェネレーター３にも接続されている。予約センター１において旅客のために作られた予約のチケット詳細はコンピューターシステム２に格納される。その上、前記チケット詳細を含むメッセージは、メッセージジェネレーター３によって生成され、旅客のモバイルステーション５へ通信リンク４を越えて送信される。モバイルステーション５は、ディスプレイ画面（図解されていない）を有し、そして空港においてチェックイン手続きの一部として光学的コードリーダー６によってスキャンするために、チケット詳細を光学的コード、例えばバーコードとして画面上に呈示するように構成されている。光学的コードリーダー６は、コンピューターシステム２に接続されており、モバイルステーション５から読み取られた前記チケット詳細を、コンピューターシステム２に格納されたものと前記詳細を比較することによって検証する。検証が成功した場合、この旅客は、旅行を続けることが認可される。
【００１２】
前記システムをより詳細に説明する。
【００１３】
フライトを予約することを希望している旅客は、予約センター１と連絡をとることにより行う。一般的には、フライト予約センター１は、特定の航空会社の予約センターまたは航空会社のために働いている私会社（例えば、旅行代理店）である。かなり多数の標準的な方法で、例えば、本人が予約センター１に出向くことによって、メールによって、電話によってまたはインターネットを介して予約できる。
【００１４】
フライト予約がされたとき、予約センター１は、関連性のある予約の詳細を含んでいる、コンピューター記録を作る。例えば、この記録は、次の情報のいくらかまたは全てを含んでいてもよい。
【００１５】
顧客名
フライト番号
出発空港およびターミナル
出発時刻
ゲート番号
座席割り当て番号
目的地空港／市
到着時間。
【００１６】
予約センター１は、また、各予約のために、航空産業において旅客明記録（ＰＮＲ）として一般に知られている特有の識別コードを作成し、前記識別コードは予約のコンピューター記録を識別し且つ検索取得するために使用することができる。当業者においては知られているように、各ＰＮＲは、６個の英数字の特有のセット、例えばＴＱＲ８ＬＲとしてコード化される。
【００１７】
以前には、既知の予約システムでは、ＰＮＲは、航空会社によって旅客に対して発行された紙のチケットまたは搭乗券上に印刷されている。空港におけるチェックインまたは搭乗手続きの一部として、チケットまたは搭乗券上に示されたＰＮＲは、航空会社コンピューター予約システムに入力され、そして前記ＰＮＲは、それから、前記ＰＮＲに関連付けられた予約詳細のコンピューター記録を検索取得する。前記コンピューター記録からの情報は、それから、旅客が旅行を続ける権限が与えられる前にチケット上に示されたものに対してチェックされ得る。
【００１８】
本発明のこの実施形態においては、旅客がそれと共に発行されたチケットまたは搭乗券上にＰＮＲコードを印刷するよりもむしろ、ＰＮＲコードは、旅客に関連付けされたモバイルステーション５に対して直接送信される。以下において、より詳細に説明されるであろうように、ＰＮＲコードを保持するモバイルステーションは、空港におけるチェックインおよび搭乗手続きのための電子的チケット装置として使用され得て、それによって紙のチケットの必要性を打ち消す。
【００１９】
一旦製作されると、予約に関連するＰＮＲおよび関連付けされたブッキング詳細は、航空会社コンピューターシステム２に格納される。このことに加えて、ＰＮＲおよび望ましくは関連付けされた予約詳細のいくらかまたは全ては、通信ネットワーク４を介してモバイルステーション５に伝達するために、メッセージ生成ユニット３に送られる。図解の目的のみのために、図１に図解された通信ネットワーク４は、ＧＳＭ（モバイル通信のための世界的システム）ディジタルセルラー無線ネットワークである。モバイルステーション５に対してＰＮＲコードおよび予約詳細を伝達するためには、ショートメッセージサービス（ＳＭＳ）データ転送機構が採用される。ＳＭＳデータ転送機構は、とりわけ、ＧＳＭ技術明細書０３．４０（ＧＳＭ　Ｔｅｃｈｎｉｃａｌ　Ｓｐｅｃｉｆｉｃａｔｉｏｎ　０３．４０）内に定義されるデータ転送テレサービスである。
【００２０】
生成ユニット３、望ましくは適切にプログラムされたコンピューターシステムは、ＰＮＲおよびＰＮＲと共に旅客に送られるべきである上述された予約詳細を含む正確にフォーマットされたＳＭＳメッセージを生成するために使用される。ＳＭＳメッセージは、また、ヘッダー、またはフラグを有しており、それはメッセージを、予約またはチケット情報を含むものとして識別する。一旦生成されると、ＳＭＳメッセージは、通信ネットワーク４を介して旅客のモバイルステーション５の宛先アドレスに送られ、旅客の関連するモバイル電話番号は、予約のときに予約センター１に提供されている。ＳＭＳメッセージは、予約のときと空港におけるチェックイン手続きの開始の間のいつの時点でも旅客に送られ得る。旅客がＳＭＳ生成手段３と交信し、且つ旅客にとって都合の良いときにメッセージが送られることを要求することができるであろうことは、認識されている。
【００２１】
添付図面の図２を参照すると、そこにＳＭＳメッセージが送られ且つメッセージを処理すべく構成されたモバイルステーション５がさらに詳細に示されている。発明を説明するために必要なそれらの構成要素のみが図解されている。
【００２２】
モバイルステーション５は、受信／送信アンテナ６、このステーション５の動作を制御するためのプロセッサー回路７、データを格納するためのメモリー８、ビットマップイメージを表示することが可能なディスプレイ９、および入力デバイス（キーパッド）１０を含む。
【００２３】
モバイルステーション５には、ＳＩＭ１１（加入者識別モジュール）が設けられている。国際モバイル加入者証明（ＩＭＳＩ）および他のそのようなユーザー情報を含むＳＩＭは、当業者において良く知られている。ＳＩＭ１１には、チケット情報を含むＳＭＳメッセージを処理するための、そしてモバイルステーション５によってそのようなメッセージの表示を制御するための格納されたアプリケーションプログラム（例えば、ＳＩＭアプリケーションツールキットプログラム）がさらに備えられている。
【００２４】
図３は、チケット情報を含むＳＭＳを受信したときにアプリケーションプログラムの制御の下で電話により実施される手続きを説明している。電話がＳＭＳメッセージを受信した後、電話は、ＳＭＳメッセージにおけるフラグを用いてこのＳＭＳメッセージが予約情報を含んでいることをチェックする、ステップ２２。もしも、ＳＭＳメッセージが、予約情報を含んでいるならば、このメッセージは、予約メッセージのために確保された特別なディレクトリーに格納され、そして前記特別なディレクトリーは電話のメモリー８か、またはＳＩＭ１１上に用意されたメモリーかのどちらかに配置されていても良い、ステップ２３。チケット情報を含まない通常のＳＭＳメッセージは、通常のＳＭＳディレクトリーに格納される、ステップ２４。
【００２５】
図４は、それによってＳＭＳメッセージに含まれるＰＮＲコードが、光学的コードフォーマット、例えばバーコードに変換され、そしてモバイルステーションのディスプレイ９上に検証のために表示される手続きを説明している。最初に、例えばモバイルステーション５のディスプレイ９上のＳＭＳチケットメッセージが表示される準備ができていることを示す、特別なアイコンによって、旅客が促される、ステップ３１。
【００２６】
アプリケーションプログラムは、モバイルフォーンに、それによって旅客が、ＰＮＲコードが表示されるべきことをキーパッド１０を介して要求し得るチケット情報オプション表示ステップ３３を含む選択可能メニューオプションを提供することを命令するように構成されている。
【００２７】
この選択に応答して、アプリケーションプログラムは、ＰＮＲコードが記憶装置から検索され、ステップ３３、且つそのあとで、モバイルステーション５によって受信されたテキストフォーマットからビットマップバーコードフォーマットに変換されるようにさせる、ステップ３４。一旦、ＰＮＲコードがバーコードフォーマットに変換されると、アプリケーションプログラムは、電話に光学的コードをディスプレイ画面１０上に表示させるべく命令する、ステップ３５。図１に戻って参照すると、旅客がフライトにチェックインしまたは搭乗することを望むとき、ＰＮＲコードが、モバイルステーションのディスプレイ上にバーコードとして表示され、それによって空港におけるチェック係員がバーコードをバーコードリーダー６でスキャンすることによってチェックイン手続きを行うことを可能にする。バーコードリーダーは、当業者において知られており、信頼性がありそして比較的使用が容易であるという利点を有する。バーコードリーダー６は、航空会社予約コンピューター２に接続され、且つもしもリーダー６によって読み取られたＰＮＲコードが航空会社コンピューターシステム２に格納された関連する予約詳細に対して首尾よくチェックされると、旅客は、旅行を続けることが許可される。
【００２８】
それは、そのように、チェックイン／搭乗手続きが単純化され、より速くされそして概して旅客および航空会社の両方に対してより便利であることが理解され得る。航空会社についての紙の文書の発行の必要性は、減小され、便利なことに、旅客にとって旅をするために必要とされる全てのチケット情報は旅客のモバイルステーション上に保持される。事実上、モバイルステーションが、旅客に運賃の証明を提供する電子的チケットデバイスとして機能する。
【００２９】
ＰＮＲがディスプレイのために変換し得る２つの適切な光学的コードフォーマットが図５に図解されている。これらの光学的コードの各々は、機械によって読み取るために特別に適合されたプレゼンテーションフォーマットを有している（テキストのような、他のプレゼンテーションフォーマットは、前記方法で特別に適合されてはいない）。図５ａにおいて、光学的コード４０は、標準バーコードである。そのようなバーコードは、４０個前後の文字を表現することができ、それは６文字のＰＮＲコードを表現するのを可能にするのに充分な値よりも多い。図５ｂにおいて、光学的コード４１は、２次元ドットコードである。そのような２次元ドットコードは、２０００文字まで表現することができる。それゆえ、ＰＮＲに加えて、アプリケーションプログラムは前記光学的コードにオリジナルのＳＭＳメッセージに含まれる他のチケット情報をエンコードすべく構成されてもよい。原則的には、４ページにリストされた全てのチケット情報は、メッセージに含められ、そして図５ｂに図解されたもののような２次元ドットコードで表示するためにエンコードされても良い。
【００３０】
有利なことには、オリジナルのＳＭＳメッセージは、ＰＮＲ光学的コードの偽造をより難しくするために光学的コードにエンコードするための隠されたセキュリティコードを含んでいても良い。
【００３１】
信頼できるスキャニングのために充分に高い解像度を有してビットマップイメージとして光学的コードを表示することが可能な画面ディスプレイを有するモバイル電話、例えば９６×６５ピクセルの解像度を有するモノクロームの画面を持つノキア７１１０（Ｎｏｋｉａ　７１１０）が、知られている。
【００３２】
ＰＮＲコードを光学的コードフォーマットに変更し、モバイルステーションに光学的コードを表示することを指令することに加えて、アプリケーションプログラムは、ＰＮＲコードまたは、ＳＭＳメッセージにおいて受信される他のいかなる予約情報と共に他の処理を実行してもよい。例えば、図面の図６を参照すれば、アプリケーションプログラムは、バーコードフォーマット５３に限らずテキストフォーマット５２でＰＮＲコードを画面５１上に表示させるべく電話５０に命令を与えるように構成されても良い。ＰＮＲをテキストフォーマットで表示することは、光学的コードの自動的読み取りが故障した場合に、チェック職員がＰＮＲを手操作でチェックすることを可能にする。
【００３３】
さらに、プログラムは、ＳＭＳメッセージに含まれる他のいずれの予約情報、例えば旅客の予約された座席番号または関連するフライト番号、についてもテキストとして表示させることを電話５０に命令すべく構成してもよい。図６に図解されるモバイルステーションは、例として、ＰＮＲコードをバーコードフォーマット５３でそしてＰＮＲをテキストフォーマット５２で表示させるべく命令されることに加えて、前記ステーションは、旅客に割り当てられた座席番号もテキストで表示させるべく命令される。
【００３４】
本発明は、チケット情報がモバイルステーションにＳＭＳを用いるテキストメッセージとして送られる実施形態に限定されるものではないことは理解されるであろう。前記メッセージは、例えばページャー（ポケットベル）のメッセージのような、他のメッセージフォーマットで送られてもよい。さらなる実施形態においては（図解されていない）、チケット情報は、ワイヤレスアプリケーションプロトコル（ＷＡＰ）技術を用いるモバイルステーションによって受信される。ＷＡＰ可能とされた電話は、当業者において知られており、そしてモバイル通信ネットワークを介してウェブサイトから前記ステーションにダウンロードされた特別に書かれたウェブページを表示させることが可能なマイクロウェブブラウザーを有する。この実施形態において、予約がされたときまたはそのすぐあとに、結果として生ずるＰＮＲコードおよびそれに関連付けられた予約情報が旅客に対して個人的なウェブページ上にリストされ、そして前記ウェブページは航空会社によって調整された安全なウェブサイト上に配置される。旅客には、前記ウェブページへのアクセスを許可するパスワードが提供される。旅客が空港においてチェックインすることを希望するときは、前記旅客は、モバイルステーションのＷＡＰブラウザーを起動させ、個人のウェブページをアクセスする。旅客は、それからＰＮＲコードを、そしてもしも要求されるなら、ＰＮＲコードと関連付けられた予約情報を、表示させることを選択する。上述された実施形態におけるように、モバイルステーションは、ＰＮＲコードを、光学的コードリーダーによって読み取るための光学的コードとして表示すべく構成されている。この実施形態において、ＰＮＲコードは、ウェブページに光学的コードフォーマットで含まれ、そしてモバイルステーションによって表示するために直接的にこのフォーマットで受信されてもよい。代わりに、ＰＮＲコードが、モバイルステーションによってテキストフォーマットで受信され、そして電話機において表示するための光学的コードフォーマットに変換されてもよい。代替的な構成においては、ＰＮＲおよび関連する予約詳細は旅客に関連付けられたコンピューター、例えば旅客のホームＰＣに送られる。情報は、コンピューターへかなり多くの既知の方法によって送られてもよい。例えば、詳細は、ｅ−メールとして送られてもよく、あるいはその代わりに、詳細は、旅客がそこに対するアクセスを与えられるように設定された安全なウェブにリストされていてもよい。一旦コンピューターに格納されると、詳細は、それから携帯情報端末、モバイルステーション、または空港に持ち込まれ且つ情報が検証されることを可能にする方法でチケット情報を呈示し得る他のポータブル電子的デバイスのメモリーにダウンロードされる。
【００３５】
上述された実施形態において、チケット情報は、バーコードまたはドットコードとして表示される。しかしながら、情報が表示される代替的な機械読み取り可能なフォーマットが当業者には明らかであろうことは予見される。
【００３６】
上述された実施形態においては、モバイルステーションまたは他のそのようなデバイスに保持されるチケット情報は、光学的スキャナーによって検証されるけれども、他の検証メカニズムが採用されてもよいことは予見される。例えば、空港において、情報は、通信ケーブル、赤外線リンクまたはワイヤレスラジオリンクによって、例えばいわゆるブルートゥース共通無線インターフェースを用いて、モバイルステーションからそこで適切な検証デバイスが保持される他のデバイスに伝達されるかもしれない。有利なことに、もしもブルートゥースのようなラジオインターフェースが、チケット情報を、モバイルステーション（または他のデバイス）から検証デバイスへ伝達するために使用されるならば、そのときは、モバイルステーションおよび検証デバイスは、情報がモバイルステーションが検証デバイスの所定距離以内に持ち込まれることに応答して自動的に伝達されるように構成され得る。このことは、ユーザーの対話の必要性を未然に防ぎ、例えばユーザーに検証デバイスによって提供されたチェックインポイントをチケット情報が検証デバイスに伝達されるようにするために停止させる必要なしに通過することを許可することができる。
【００３７】
最後に、本発明は、輸送サービスのためのチケット発行システムに関して詳細に説明してきたが、本発明はチケットベースの認証を必要とする他の業務、例えば劇場への入場またはスポーツイベントへの入場についても本発明が使用され得ることは明らかである。
【００３８】
このように本発明は望ましい実施形態を参照して記述されているので、問題の実施形態が例示的にのみであること、そして例えば所有している適切な知識および技術に対して生じるであろう変更およびバリエーションは、添付された特許請求の範囲およびその均等物に述べられた通りの本発明の精神および視野を逸脱することなくなされてよいことは、よく理解されるはずである。
【図面の簡単な説明】
【図１】
図１は、本発明を実施するシステムを概略的に説明するブロック図である。
【図２】
図２は、テレコミュニケーションモバイルステーションを概略的に説明するブロック図である。
【図３】
図３は、本発明の一つの実施形態において成し遂げられる手続きを図解するフロー図である。
【図４】
図４は、本発明の一つの実施形態において成し遂げられる他の一つの手続きを図解するフロー図である。
【図５ａ】
図５ａは、バーコードの図である。
【図５ｂ】
図５ｂは、２次元ドットコードの図である。
【図６】
図６は、モバイルステーションのディスプレイ画面の図解である。
【符号の説明】
１　フライト予約センター
２　航空会社コンピューターシステム
３　メッセージジェネレーター
４　通信リンク
５　モバイルステーション
６　光学的コードリーダー（図１）
６　受信／送信アンテナ（図２）
７　プロセッサー回路
８　メモリー
９　ディスプレイ
１０　入力デバイス（キーパッド）
１１　ＳＩＭ（加入者識別モジュール）
【図３】
2004501423.tif 000003
【図４】
2004501423.tif 000004
【国際公開パンフレット】
2004501423.tif 000005
2004501423.tif 000006
2004501423.tif 000007
2004501423.tif 000008
2004501423.tif 000009
2004501423.tif 000010
2004501423.tif 000011
2004501423.tif 000012
2004501423.tif 000013
2004501423.tif 000014
2004501423.tif 000015
2004501423.tif 000016
2004501423.tif 000017
2004501423.tif 000018
2004501423.tif 000019
2004501423.tif 000020
2004501423.tif 000021
2004501423.tif 000022
2004501423.tif 000023
2004501423.tif 000024
【国際公開パンフレット（コレクトバージョン）】
2004501423.tif 000025
2004501423.tif 000026
【国際調査報告】
2004501423.tif 000027
2004501423.tif 000028
2004501423.tif 000029